(57)【要約】【課題】プラントに発生した事象を制御演算周期よりも高い時間分解能で監視でき、制御演算装置の負荷に影響なく、より信頼性の高い監視情報を得ることである。【解決手段】  信号入力装置２は、制御演算装置１の所定の演算周期よりも高い時間分解能で検出器４からの入力信号を入力すると共にイベント状態変化の入力信号を入力して制御演算装置１に出力するイベント検出処理部２１と、イベント検出処理部２１で入力され制御演算装置１に出力される入力信号に時刻を付加する時刻管理処理部２２とを備え、演算制御装置１は、信号入力装置２のイベント検出処理部２１からの入力信号を直接的に監視装置３に送信するイベントデータ変換処理部２３を備える。【選択図】  図１
2005301940.tif 000002
【特許請求の範囲】
【請求項１】
プラントに設置された検出器からの入力信号を入力する信号入力装置と、前記信号入力装置からの入力信号を所定の演算周期で取り込みプラントの監視制御演算を行い監視情報を監視装置に出力する制御演算装置とを備えたプラント制御装置において、前記信号入力装置は、前記制御演算装置の所定の演算周期と同期して検出器から入力信号を入力し前記制御演算装置に出力する定周期信号処理部と、前記制御演算装置の所定の演算周期よりも高い時間分解能で検出器からの入力信号を入力すると共にイベント状態変化の入力信号を入力して前記制御演算装置に出力するイベント検出処理部と、前記イベント検出処理部で入力され前記制御演算装置に出力される入力信号に時刻を付加する時刻管理処理部とを備え、前記制御演算装置は、前記定周期信号処理部からの入力信号を監視装置に送信すると共にその入力信号に基づいて監視制御演算を行う内部演算処理部と、前記信号入力装置のイベント検出処理部からの入力信号を直接的に監視装置に送信するイベントデータ変換処理部とを備えたことを特徴とするプラント制御装置。
【請求項２】
前記信号入力装置は、前記制御演算装置の所定の演算周期よりも高い時間分解能で検出器からアナログ信号を入力し、アナログ信号がその設定値を超えたか否かを比較しその比較結果を前記制御演算装置のイベントデータ変換処理部に出力する入力信号／設定値比較処理部を備えたことを特徴とする請求項１記載のプラント制御装置。
【請求項３】
前記信号入力装置は、アナログ信号がその設定値を超えた状態である前記入力信号／設定値比較処理部の比較結果または前記イベント検出処理部で検出したイベント状態変化に対してアラーム情報を付加して前記制御演算装置のイベントデータ変換処理部に出力する警報処理部を備えたことを特徴とする請求項１または請求項２記載のプラント制御装置。
【請求項４】
前記信号入力装置は、前記検出器からの入力信号が異常であるときは前記警報処理部によるアラーム情報の付加を抑制する警報抑制処理部を備えたことを特徴とする請求項３記載のプラント制御装置。
【請求項５】
前記信号入力装置の警報処理部に代えて、前記信号入力装置の前記入力信号／設定値比較処理部でのアナログ信号がその設定値を超えた状態である比較結果または前記イベント検出処理部で検出したイベント状態変化を入力し、アラームの発生時刻を前記内部演算処理部の所定の演算周期内に発生した一番早いイベントの時刻に付替える警報／時刻修正処理部を前記制御演算装置に備えたことを特徴とする請求項３または請求項４記載のプラント制御装置。
【請求項６】
プラントに設置された検出器からの入力信号を信号入力装置で入力し、前記信号入力装置からの入力信号を所定の演算周期で制御演算装置に取り込みプラントの監視制御演算を行い監視情報を監視装置に出力するプラント制御方法において、前記制御演算装置の所定の演算周期と同期して検出器から入力信号を入力する一方、前記制御演算装置の所定の演算周期よりも高い時間分解能で検出器からの入力信号を入力すると共にイベント状態変化の入力信号を入力して入力信号に時刻を付加し、前記制御演算装置の所定の演算周期と同期して入力した入力信号を監視装置に送信すると共にその入力信号に基づいて監視制御演算を行い、前記制御演算装置の所定の演算周期よりも高い時間分解能で入力した入力信号を直接的に監視装置に送信することを特徴とするプラント制御方法。
【発明の詳細な説明】
【技術分野】
【０００１】
本発明はプラントに設置された検出器の信号を入力してプラントを監視制御するプラント監視制御システムのプラント制御装置及び方法に関する。
【背景技術】
【０００２】
一般に、プラント監視制御システムはプラント各所に設置された検出器からプロセス信号を入力し、プロセス信号に基づいて監視制御演算を行うものである。プラント監視制御システムとして、プラント各所の検出器からのプロセス信号を各々のプラント制御装置に入力して特定のプラント機器に対する監視制御演算を行い、監視情報はネットワーク回線を介して監視装置に送信し、監視装置でプラント全体を監視するようにしたものがある。
【０００３】
図１１は、そのようなプラント監視制御システムにおける従来のプラント制御装置のブロック構成図である。プラント制御装置１１は、プラント機器に設置された検出器４の信号を入力処理する信号入力装置２と、信号入力装置２で入力した入力信号に基づいてプラントの監視制御演算を行う制御演算装置１とから構成され、プラント制御装置１１の制御演算装置１で演算処理された監視情報はネットワーク２８を介して監視装置３に入力される。
【０００４】
プラント機器に設置された検出器４で検出されたプロセス信号は、信号入力装置２の信号入力処理部５に入力されディジタル信号に変換される。そして、定周期信号処理部６でその情報を一定周期毎に入力し、制御演算装置Ｉ／Ｆ処理部７を介して制御演算装置１に出力される。定周期信号処理部６でプロセス信号を入力する周期は、後述の制御演算装置１での監視制御演算の周期と同期している。
【０００５】
制御演算装置１では、信号入力装置２から受信した信号を信号入力装置Ｉ／Ｆ処理部８を介して内部演算処理部９に入力し、監視制御演算を行いプラントを制御すると共に入力信号に基づいて監視情報を作成する。例えば、入力信号の警報処理、警報抑止処理、時刻付加処理等を行う。内部演算処理部９から出力される時刻情報付きの入力信号やその演算結果は伝送処理部１０に入力され、ネットワーク２８を介して監視装置３に伝達され、監視装置３において内部演算処理部９の演算時刻が付加されて表示される。また、制御演算装置１の内部演算処理部９はサイクリックに動作しており、信号入力装置２の定周期信号処理部６と同期している。
【０００６】
図１２は従来のプラント制御装置１１で処理される監視情報の説明図である。図１２に示すように、検出器４から入力されるディジタル信号が、時刻Ｔ２（状態ＯＮ）、時刻Ｔ３（状態ＯＦＦ）、時刻Ｔ４（状態ＯＮ）、時刻Ｔ６（状態ＯＦＦ）、時刻Ｔ７（状態ＯＮ）の変化をしているとし、検出器４から入力されるディジタル信号が図１２に示すように変化しているとする。この場合、内部演算処理部９の内部演算周期がＴであり、時刻Ｔ１、Ｔ５、Ｔ８で演算処理をしているとする。
【０００７】
この場合、ディジタル入力信号の監視装置３に送信される状態は、時刻Ｔ１、Ｔ５、Ｔ８であるが、時刻Ｔ１、Ｔ８では前の周期の状態と比較して状態が変化していないので表示は変化しない。従って、監視装置３の表示変化は時刻Ｔ５における状態ＯＮという状態変化に対してだけ表示更新される。一方、検出器４から入力されるアナログ信号については、内部演算処理部９の内部演算周期Ｔ毎に検出された時刻Ｔ１の状態１、時刻Ｔ５の状態２、時刻Ｔ８の状態３という状態が表示更新される。
【発明の開示】
【発明が解決しようとする課題】
【０００８】
ところが、プラント機器に設置された検出器４からの入力信号の時刻が内部演算処理部６の演算周期Ｔ毎にしか付加されないので、時刻Ｔ２、Ｔ３、Ｔ４、Ｔ６、Ｔ７での状態変化を検出することができず、監視装置３に送信される表示は時刻Ｔ５の状態ＯＮという状態だけである。また、検出器４から入力されるアナログ信号についても内部演算処理部９の内部演算周期Ｔ毎に検出された時刻Ｔ１の状態１、時刻Ｔ５の状態２、時刻Ｔ８の状態３という状態のみで、それ以外の状態変化を捉えることはできない。
【０００９】
このように、内部演算処理部９の内部演算周期Ｔでプラントに異常が発生した場合に、プラントの状態変化を内部演算処理部９の演算周期よりも高い時間分解能による監視ができない。また演算周期Ｔよりも高い時間分解能を実現しようとすると、その分、制御演算装置１の処理が多くなり監視制御機能に影響する。
【００１０】
本発明の目的は、プラントに発生した事象を制御演算周期よりも高い時間分解能で監視でき、制御演算装置の負荷に影響なく、より信頼性の高い監視情報を得ることができるプラント制御装置及び方法を提供することである。
【課題を解決するための手段】
【００１１】
本発明のプラント制御装置は、プラントに設置された検出器からの入力信号を入力する信号入力装置と、信号入力装置からの入力信号を所定の演算周期で取り込みプラントの監視制御演算を行い監視情報を監視装置に出力する制御演算装置とを備え、信号入力装置は、制御演算装置の所定の演算周期と同期して検出器から入力信号を入力し制御演算装置に出力する定周期信号処理部と、制御演算装置の所定の演算周期よりも高い時間分解能で検出器からの入力信号を入力すると共にイベント状態変化の入力信号を入力して制御演算装置に出力するイベント検出処理部と、イベント検出処理部で入力され制御演算装置に出力される入力信号に時刻を付加する時刻管理処理部とを備える。また、制御演算装置は、定周期信号処理部からの入力信号を監視装置に送信すると共にその入力信号に基づいて監視制御演算を行う内部演算処理部と、信号入力装置のイベント検出処理部からの入力信号を直接的に監視装置に送信するイベントデータ変換処理部とを備えたものである。
【００１２】
本発明のプラント制御方法は、プラントの監視制御演算を行う制御演算装置の所定の演算周期と同期して検出器から入力信号を入力する一方、制御演算装置の所定の演算周期よりも高い時間分解能で検出器からの入力信号を入力すると共にイベント状態変化の入力信号を入力して入力信号に時刻を付加し、制御演算装置の所定の演算周期と同期して入力した入力信号を監視装置に送信すると共にその入力信号に基づいて監視制御演算を行い、制御演算装置の所定の演算周期よりも高い時間分解能で入力した入力信号を直接的に監視装置に送信するようにしたものである。
【発明の効果】
【００１３】
本発明によれば、監視制御演算の演算周期よりも高い時間分解能のイベント検出を行うので、プラントの動作をより詳細に解析することができ、信頼性の高いシステムを構築することができる。
【発明を実施するための最良の形態】
【００１４】
図１は本発明の第１の実施の形態に係わるプラント制御装置のブロック構成図である。この第１の実施の形態は、図１１に示した従来例に対し、信号入力装置２には、制御演算装置１の所定の演算周期よりも高い時間分解能で検出器４からの入力信号を入力すると共にイベント状態変化の入力信号を入力して制御演算装置１に出力するイベント検出処理部２１と、イベント検出処理部２１で入力され制御演算装置１に出力される入力信号に時刻を付加する時刻管理処理部２２とを追加して設け、制御演算装置１には、信号入力装置２のイベント検出処理部２１からの入力信号を直接的に監視装置３に送信するイベントデータ変換処理部２３を追加して設けたものである。図１１と同一要素には同一符号を付し重複する説明は省略する。
【００１５】
プラント機器に設置された検出器４で検出されたプロセス信号は、信号入力装置２の信号入力処理部５に入力されディジタル信号に変換され、定周期信号処理部６及びイベント検出処理部２１に入力される。定周期信号処理部６では信号入力処理部５でディジタル信号に変換された情報を一定周期毎に入力し、制御演算装置Ｉ／Ｆ処理部７を介して制御演算装置１に出力する。この定周期信号処理部６でプロセス信号を入力する周期は、制御演算装置１の内部演算処理部９での監視制御演算の周期と同期している。
【００１６】
一方、イベント検出処理部２１では、信号入力処理部５でディジタル信号に変換された入力信号を、制御演算装置１の内部演算処理部９よりも高い時間分解能を持つ周期で入力する。そして、入力した入力信号には時刻管理処理部２２からの時刻情報が付けられ、制御演算装置Ｉ／Ｆ処理部７を介して制御演算装置１に時刻情報付きの入力信号情報を伝達する。
【００１７】
制御演算装置１では、信号入力装置２から受信した信号を信号入力装置Ｉ／Ｆ処理部８で受信し、信号入力装置２の定周期信号処理部６からの入力信号は内部演算処理部９に入力し、信号入力装置２のイベント検出処理部２１からの入力信号はイベントデータ変換処理部２３に入力する。
【００１８】
内部演算処理部９では、定周期信号処理部６からの入力信号に基づいて監視制御演算を行いプラントを制御すると共に監視情報を作成する。例えば、入力信号の警報処理、警報抑止処理、時刻付加処理等を行う。内部演算処理部９から出力される時刻情報付きの入力信号やその演算結果は伝送処理部１０に入力され、ネットワーク２８を介して監視装置３に伝達される。一方、イベントデータ変換処理部２３では、イベント検出処理部２１からの入力信号を直接伝送形式に変換して伝送処理部１０に入力し、ネットワーク２８を介して監視装置３に伝達する。
【００１９】
これにより、内部演算処理部９から出力される時刻情報付きの入力信号とその演算結果、及びイベントデータ変換処理部２３から出力される時刻情報付きの入力信号は、伝送処理部１０からネットワーク２８を介して監視装置３に伝達され、それぞれの時刻が付加されて監視装置３の表示装置に表示される。
【００２０】
図２は第１の実施の形態に係わるプラント制御装置１１で処理される監視情報の説明図である。図２に示すように、検出器４から入力されるディジタル信号が、時刻Ｔ３（状態ＯＮ）、時刻Ｔ４（状態ＯＦＦ）、時刻Ｔ６（状態ＯＮ）、時刻Ｔ９（状態ＯＦＦ）、時刻Ｔ１０（状態ＯＮ）の変化をしているとし、検出器４から入力されるディジタル信号が図１２に示すように変化しているとする。この場合、内部演算処理部９の内部演算周期（周期１−０、周期２−０、周期３−０…）がＴであり、時刻Ｔ１、Ｔ７、Ｔ１２で演算処理をしており、また、イベント検出処理部２１での演算周期（周期１−１、周期１−２、周期２−１、周期２−２…）がＳであり、時刻Ｔ２、Ｔ５、Ｔ８、Ｔ１１で演算処理をしているとする。
【００２１】
この場合、ディジタル入力信号の監視装置３に送信される状態は、イベントデータ変換処理部２３からの状態変化時の状態及び内部演算処理部９からの内部演算処理周期のときの状態である。すなわち、イベントデータ変換処理部２３からの状態変化のときの時刻Ｔ３、Ｔ４、Ｔ６、Ｔ９、Ｔ１０、及び内部演算処理部９からの内部演算処理周期のときのＴ１、Ｔ７、Ｔ１２である。時刻Ｔ１、Ｔ７、Ｔ１２では前の表示更新の状態と比較して状態が変化していないので表示は変化しない。従って、ディジタル入力信号の状態は検出器４から入力される状態を表示できる。
【００２２】
一方、検出器４から入力されるアナログ信号については、内部演算処理部９の内部演算周期Ｔ毎に検出された時刻Ｔ１の状態１、時刻Ｔ７の状態４、時刻Ｔ１２の状態７、及び
イベントデータ変換処理部２３の演算周期Ｓごとに検出された時刻Ｔ２の状態２、時刻Ｔ５の状態３、時刻Ｔ８の状態５、時刻Ｔ１１の状態６であり、これらの状態１〜状態７が表示更新される。すなわち、検出器４から入力されるアナログ信号については、内部演算処理部９の内部演算周期Ｔ毎に検出された時刻Ｔ１（状態１）、時刻Ｔ７（状態４）、時刻Ｔ１２（状態７）に加え、より高速に演算されるイベント検出処理部２１のアナログ検出周期Ｓにより時刻Ｔ２（状態２）、時刻Ｔ５（状態３）、時刻Ｔ８（状態５）、時刻Ｔ１１（状態６）の状態変化を捉えることができる。
【００２３】
なお、イベント検出処理部２１では時刻管理処理部２２から時刻を入力して内部演算処理部９よりも高い時間分解能で時刻を付与することになる。従って、監視装置３では付与された時刻を基に内部演算処理部９及びイベントデータ変換部２３から入力した監視情報を並べて表示することになる。
【００２４】
第１の実施の形態によれば、信号入力装置２にイベント検出処理部２１及び時間管理処理部２２を設けたので、内部演算処理部９の内部演算周期よりも高い時間分解能のイベント検出が可能となり、プラントの動作をより詳細に解析することができ、さらには信頼性の高いシステムを構築することができる。
【００２５】
図３は本発明の第２の実施の形態に係わるプラント制御装置のブロック構成図である。この第２の実施の形態は、図１に示した第１の実施の形態に対し、制御演算装置１の所定の演算周期Ｔよりも高い時間分解能で検出器４からアナログ信号を入力し、アナログ信号がその設定値を超えたか否かを比較し、その比較結果を制御演算装置１のイベントデータ変換処理部２３に出力する入力信号／設定値比較処理部２４を信号入力装置２に追加して設けたものである。図１と同一要素には同一符号を付し重複する説明は省略する。
【００２６】
図３において、信号入力装置２に入力信号／設定値比較処理部２４が追加して設けられており、入力信号／設定値比較処理部２４は、イベント検出処理部２１と同様に高い時間分解能で信号入力処理部５からアナログ信号を入力し、自身が保持する或いは外部から与える設定値と比較し、その比較結果と時刻管理処理部２２からの時刻情報とを付加して制御演算装置Ｉ／Ｆ処理部７にその情報を出力する。
【００２７】
制御演算装置１では、入力信号／設定値比較処理部２４からの時刻情報付きの比較結果を信号入力装置Ｉ／Ｆ処理部８を介してイベントデータ変換処理部２３に入力し、直接伝送形式に変換して、伝送処理部１０を通して監視装置３に伝達する。監視装置３では時刻情報と共にその比較結果が表示される。
【００２８】
図４は第２の実施の形態に係わるプラント制御装置１１で処理される監視情報の説明図である。図４に示すように、アナログ入力信号に対してアナログ設定値とヒステリシス値とが予め設定され、アナログ入力信号がアナログ設定値を超えた状態を検出した時点でアナログ入力設定値比較信号がオンとなりアナログ入力信号がヒステリシス値未満となった状態を検出した時点でアナログ入力設定値比較信号がオフとなる。
【００２９】
すなわち、入力信号／設定値比較処理部２４の周期２―１の時刻でアナログ入力信号がアナログ設定値を超えているので、時刻Ｔ８でアナログ入力設定値比較信号がオンし、その時のアナログ入力値（状態５）と共に入力信号の情報が監視装置３に表示される。同様に、入力信号／設定値比較処理部２４の周期２―２ではアナログ入力信号がヒステリシス設定値を下回っている状態であるので、時刻Ｔ１１でアナログ入力設定値比較信号はオフし、その時のアナログ入力値（状態６）と共に入力信号の情報が監視装置３に表示される。
【００３０】
第２の実施の形態によれば、入力信号／設定値比較処理部２４を設けたので、内部演算処理部９の内部演算周期よりも高い時間分解能でアナログ設定値比較信号のイベント検出が可能となる。従って、プラントの動作をより詳細に解析することができ、信頼性の高いシステムを構築することができる。また、制御演算装置１で行っていた設定値比較演算を信号入力装置２で行えるので、制御演算装置１の負荷を軽減することができる。
【００３１】
図５は本発明の第３の実施の形態に係わるプラント制御装置のブロック構成図である。この第３の実施の形態は、図３に示した第２の実施の形態に対し、アナログ信号がその設定値を超えた状態である入力信号／設定値比較処理部２４の比較結果またはイベント検出処理部２１で検出したイベント状態変化に対してアラーム情報を付加して制御演算装置１のイベントデータ変換処理部２３に出力する警報処理部２５を信号入力装置２に追加して設けたものである。図３と同一要素には同一符号を付し重複する説明は省略する。
【００３２】
図５において、信号入力装置２に警報処理部２５が追加して設けられており、警報処理部２５は、イベント検出処理部２１及び入力信号／設定値比較処理部２４から入力する時刻付きの入力信号情報に関し、それぞれの信号の警報指定が可能となっており、警報指定されている場合には、その入力信号情報に警報の情報を付加して制御演算装置Ｉ／Ｆ処理部７にその情報を出力する。
【００３３】
制御演算装置１では、警報処理部２５からの警報情報付きの比較結果や入力信号を信号入力装置Ｉ／Ｆ処理部８を介してイベントデータ変換処理部２３に入力し、直接伝送形式に変換して、伝送処理部１０を通して監視装置３に伝達する。監視装置３では入力信号や比較結果を時刻情報及び警報情報と共に表示する。
【００３４】
図６は第３の実施の形態に係わるプラント制御装置１１で処理される監視情報の説明図である。図６では、ディジタル入力信号がオンであるとき、及びアナログ入力設定値比較信号がオンであるときに警報指定されている場合を示している。ディジタル信号ではＴ３、Ｔ４、Ｔ６、Ｔ９、Ｔ１０で接点変化した時刻でアラームの状態も変化する。またアナログ入力設定値比較信号もＴ８、Ｔ１１で接点変化した時刻でアラームの状態も変化する。警報処理部２５ではイベント検出処理部２１及び入力信号／設定値比較処理部２４から時刻付きデータを入力するので、内部演算処理部９よりも高い時間分解能で警報を付けることが可能である。
【００３５】
第３の実施の形態によれば、入力信号／設定値比較処理部２４の比較結果またはイベント検出処理部２１で検出したイベント状態変化に対してアラーム情報を付加して出力する警報処理部２５を設けたので、内部演算処理部９の内部演算周期よりも高い時間分解能の警報処理が可能となり、プラントの警報状態をより詳細に把握することができ、信頼性の高いシステムを構築することができる。また、制御演算装置１で行っていた警報処理を信号入力装置２で行えるので、制御演算装置１の負荷をさらに軽減することができる。
【００３６】
図７は本発明の第４の実施の形態に係わるプラント制御装置のブロック構成図である。この第４の実施の形態は、図５に示した第３の実施の形態に対し、検出器４からの入力信号が異常であるときは警報処理部２５によるアラーム情報の付加を抑制する警報抑制処理部２６を備えたものである。図５と同一要素には同一符号を付し重複する説明は省略する。
【００３７】
図７において、信号入力装置２には警報抑制処理部２６が追加して設けられており、信号入力処理部５で検出される入力信号の異常状態を診断し、入力信号が異常と診断した場合には、その入力信号に対して行われる警報処理部２５の警報処理を抑制する。つまり、警報情報の出力を停止する。
【００３８】
図８は第４の実施の形態に係わるプラント制御装置１１で処理される監視情報の説明図である。図８では、アナログ入力信号が時刻Ｔ６と時刻Ｔ７との間で異常となり、時刻Ｔ７でアナログ入力信号異常が検出された場合を示している。その場合、時刻Ｔ７で仮にアナログ入力設定値比較信号のオンが検出されても、アナログ入力異常信号が成立しているので、その警報処理を停止する。アナログ入力異常信号は制御演算装置１を介して監視装置３に表示され、図中○印のアナログ入力設定値比較信号の変化は監視装置３に表示されない。従って、アナログ入力信号のアラーム信号は出力されない。また、アナログ信号の異常であるので、時刻Ｔ７以降のアナログ信号の状態の表示は除外される。ここで、アナログ信号の異常としては検出器の異常がある。以上の説明は、アナログ入力信号が異常となった場合について説明したが、ディジタル信号が異常となった場合にも同様である。
【００３９】
第４の実施の形態によれば、第３の実施の形態の効果に加え、検出器４からの入力信号が異常であるときは警報処理部２５によるアラーム情報の付加を抑制する警報抑制処理部２６を設けたので、入力信号異常時の無効な情報の処理時間を省略することができる。
【００４０】
図９は本発明の第５の実施の形態に係わるプラント制御装置のブロック構成図である。この第５の実施の形態は、図７に示した第４の実施の形態に対し、信号入力装置２の警報処理部２５に代えて、信号入力装置２の入力信号／設定値比較処理部２４でのアナログ信号がその設定値を超えた状態である比較結果またはイベント検出処理部２１で検出したイベント状態変化を入力し、アラームの発生時刻を内部演算処理部６の所定の演算周期内に発生した一番早いイベントの時刻に付替える警報／時刻修正処理部２７を制御演算装置１に設けたものである。図７と同一要素には同一符号を付し重複する説明は省略する。
【００４１】
図９において、信号入力装置２の警報処理部２５で行っていた警報処理を、制御演算装置１の警報／時刻修正処理部２７でその処理を行う。また、この警報／時刻修正処理部２７では警報を高速に処理せず、内部演算処理部９と同期あるいは相当の周期で警報処理を実施する。この場合、その警報の時刻は内部演算処理部９の周期ではなく、同一制御演算周期内で検出された一番早いイベント検出された時刻に付替える。
【００４２】
図１０は第５の実施の形態に係わるプラント制御装置１１で処理される監視情報の説明図である。図１０では、警報／時刻修正処理部２７が内部演算周期６と同期しているとした場合を示している。この場合、警報／時刻修正処理部２７では周期２―０の時刻Ｔ７でそのディジタル入力信号の変化を捉えるが、その同一内部演算周期内において、時刻Ｔ３で一番早い状態変化が発生しているので、ディジタル入力信号の状態変化を時刻Ｔ３に付替える。その時刻Ｔ３で状態変化が発生しているという情報はイベントデータ変換処理部２３が保有しており、イベントデータ変換処理部２３より、ディジタル入力信号の状態変化を時刻Ｔ３に付替えて伝送処理部１０を介して監視装置３に伝達する。監視装置３では時刻Ｔ３の時刻からのアラーム表示をする。
【００４３】
また、時刻Ｔ４、時刻Ｔ６では表示更新しない。そして、次の周期３−０の時刻Ｔ１２では前の周期２−０の状態と比較して状態が変化していないので表示更新はしない。このように、警報／時刻修正処理部２７では内部演算処理部９と同期あるいは相当の周期で演算されるが、イベントデータ変換処理部２３よりイベント情報を参照することにより、高い時間分解能で警報処理することが可能となる。
【００４４】
以上の説明はディジタル入力信号について説明したが、アナログ入力信号の場合も同様である。すなわち、時刻Ｔ８と時刻Ｔ１１との間でアナログ入力設定値比較信号が成立しているが、警報／時刻修正処理部２７の演算周期である周期１−０の時刻Ｔ１、周期２−０の時刻Ｔ７、周期３−０の時刻Ｔ１２では、アナログ入力設定値比較信号は成立していないので、図１０の場合にはアナログ入力信号のアラームは出力されない。
【００４５】
第５の実施の形態によれば、内部演算処理部９と同期あるいは相当の周期で警報処理を実施する警報／時刻修正処理部２７を設けたので、制御演算装置１や信号入力装置２の負荷を軽減しつつ高い時間分解能で監視情報を得ることができる。
【図面の簡単な説明】
【００４６】
【図１】本発明の第１の実施の形態に係わるプラント制御装置のブロック構成図。
【図２】本発明の第１の実施の形態に係わるプラント制御装置で処理される監視情報の説明図。
【図３】本発明の第２の実施の形態に係わるプラント制御装置のブロック構成図。
【図４】本発明の第２の実施の形態に係わるプラント制御装置で処理される監視情報の説明図。
【図５】本発明の第３の実施の形態に係わるプラント制御装置のブロック構成図。
【図６】本発明の第３の実施の形態に係わるプラント制御装置で処理される監視情報の説明図。
【図７】本発明の第４の実施の形態に係わるプラント制御装置のブロック構成図。
【図８】本発明の第４の実施の形態に係わるプラント制御装置で処理される監視情報の説明図。
【図９】本発明の第５の実施の形態に係わるプラント制御装置のブロック構成図。
【図１０】本発明の第５の実施の形態に係わるプラント制御装置で処理される監視情報の説明図。
【図１１】従来のプラント制御装置のブロック構成図。
【図１２】従来のプラント制御装置で処理される監視情報の説明図。
【符号の説明】
【００４７】
１…制御演算装置、２…信号入力装置、３…監視装置、４…検出器、５…信号入力処理部、６…定周期信号処理部、７…制御演算装置Ｉ／Ｆ処理部、８…信号入力装置Ｉ／Ｆ処理部、９…内部演算処理部、１０…伝送処理部、１１…プラント制御装置、２１…イベント検出処理部、２２…時刻管理処理部、２３…イベントデータ変換処理部、２４…入力信号/設定値比較処理部、２５…警報処理部、２６…警報抑制処理部、２７…警報/時刻修正処理部、２８…ネットワーク
【図１】
2005301940.tif 000003
【図２】
2005301940.tif 000004
【図３】
2005301940.tif 000005
【図４】
2005301940.tif 000006
【図５】
2005301940.tif 000007
【図６】
2005301940.tif 000008
【図７】
2005301940.tif 000009
【図８】
2005301940.tif 000010
【図９】
2005301940.tif 000011
【図１０】
2005301940.tif 000012
【図１１】
2005301940.tif 000013
【図１２】
2005301940.tif 000014